(57)【要約】【課題】  フェライトコアに挿入された配線を少ない部品点数で確実に装置本体に固定する固定具の提供。【解決手段】  フェライトコアサドル１００は、平板状のサドル本体１０２と、サドル本体１０２の一方の面に配され、メインフレーム１４に係止する係止部１０４と、配線１５２の長手方向におけるフェライトコア１５０の長さと略同一の距離だけ離間してサドル本体１０２の他方の面に一対配され、配線１５２の長手方向におけるフェライトコア１５０の両側においてそれぞれ配線１５２を把持する一対の配線把持部１１０とを備える。【選択図】  図２
2006013060.tif 000002
【特許請求の範囲】
【請求項１】
円筒状のフェライトコアに挿入された配線を装置本体に固定して保持する固定具であって、
平板状の固定具本体と、
前記固定具本体の一方の面に配され、前記装置本体に係止する係止部と、
前記配線の長手方向における前記フェライトコアの長さと略同一の距離だけ離間して前記固定具本体の他方の面に一対配され、前記配線の長手方向における前記フェライトコアの両側においてそれぞれ前記配線を把持する一対の配線把持部と
を備える固定具。
【請求項２】
前記一対の配線把持部は、前記配線の長手方向について前記フェライトコアの両側に当接する請求項１に記載の固定具。
【請求項３】
前記一対の配線把持部の各々は、前記固定具本体から延伸する延伸部、前記延伸部から湾曲して前記延伸部および前記固定具本体との間で前記配線を把持する湾曲部、および、前記湾曲部に前記配線を導入する開口部を有し、
前記一対の配線把持部における前記開口部は、前記配線の幅方向について互い違いに配される請求項１に記載の固定具。
【請求項４】
前記フェライトコアの外周が前記固定具本体に接した状態において、前記湾曲部の内側における前記固定具本体から最も遠い部分は、前記フェライトコアの前記中心穴の内面における前記固定具本体から最も遠い部分よりも前記固定具本体寄りに設けられている請求項３に記載の固定具。
【請求項５】
被記録物に対して液体を噴射することによって記録を行う液体噴射装置であって、
前記被記録物上を往復運動しつつ液体を吐出することにより、前記被記録物上に記録を行う液体噴射ヘッドと、
前記液体噴射ヘッドを往復運動させるモータと、
前記モータを制御する制御部と、
前記モータと前記制御部とを電気的に接続する配線と、
前記モータと前記制御部とを保持する装置本体と、
前記モータと前記制御部との間において前記配線が挿入され、前記モータから前記制御部に伝わる電気ノイズを除去する円筒状のフェライトコアと、
前記円筒状のフェライトコアに挿入された前記配線を前記装置本体に固定して保持する固定具と
を備え、前記固定具は、
平板状の固定具本体と、
前記固定具本体の一方の面に配され、前記装置本体に係止する係止部と、
前記配線の長手方向における前記フェライトコアの長さと略同一の距離だけ離間して前記固定具本体の他方の面に一対配され、前記配線の長手方向における前記フェライトコアの両側においてそれぞれ前記配線を把持する一対の配線把持部と
を有する液体噴射装置。
【発明の詳細な説明】
【技術分野】
【０００１】
本発明は、固定具、及び当該固定具を用いた液体噴射装置に関する。特に本発明は、フェライトコアの中心穴に挿入された配線を装置本体に固定して保持する固定具、及び当該固定具を用いた液体噴射装置に関する。
【背景技術】
【０００２】
従来、電子機器においては、内部の配線を機器の所定の位置に固定する固定具が用いられる（例えば、特許文献１を参照。）。例えば、インクジェット式記録装置等の記録装置においても、記録ヘッドを駆動するモータと当該モータを制御する制御回路とを接続する配線は、固定具によって装置の本体に固定される。
【特許文献１】特開平９−３３１１６２号公報
【発明の開示】
【発明が解決しようとする課題】
【０００３】
ところで、インクジェット式記録装置等の記録装置において、記録ヘッドを駆動するモータは、動作に伴い電気的なノイズを発生する場合がある。このノイズが記録装置の制御部回路に伝わると、制御回路の動作に悪影響を及ぼす場合がある。従って、モータと制御回路をつなぐ配線は、途中で円筒状のフェライトコアの中心穴に挿入されて巻き付けられることにより、制御回路へのノイズの伝達を防止している。
【０００４】
しかしながら、フェライトコアは、配線に比して重量が大きい。従って、一定の対振動性及び耐衝撃性が要求されるインクジェット式記録装置などの記録装置においては、フェライトコアに巻き付けられた配線を十分な保持力で固定することが困難であった。たとえば、フェライトコアの直前及び直後の配線をそれぞれ従来の固定具で固定することは、部品点数増加を招き、製品のコストを上昇させるという課題があった。また、テープなどの粘着材を用いてフェライトコアを装置本体に固定する場合、振動によってフェライトコアが脱落するという課題があった。
【課題を解決するための手段】
【０００５】
このような課題を解決するために、本発明の第１の形態において、円筒状のフェライトコアに挿入された配線を装置本体に固定して保持する固定具は、平板状の固定具本体と、固定具本体の一方の面に配され、装置本体に係止する係止部と、配線の長手方向におけるフェライトコアの長さと略同一の距離だけ離間して固定具本体の他方の面に一対配され、配線の長手方向におけるフェライトコアの両側においてそれぞれ配線を把持する一対の配線把持部とを備える。これにより、少ない部品点数で確実にフェライトコア付き配線を装置本体に固定することができる。
【０００６】
一対の配線把持部は、配線の長手方向についてフェライトコアの両側に当接していてもよい。これにより、フェライトコアを固定具本体に対してがたつきなく、しっかりと保持することができる。
【０００７】
一対の配線把持部の各々は、固定具本体から延伸する延伸部、延伸部から湾曲して延伸部および固定具本体との間で配線を把持する湾曲部、および、湾曲部に配線を導入する開口部を有し、一対の配線把持部における開口部は、配線の幅方向について互い違いに配されてもよい。これにより、開口部が互い違いなので、配線の幅方向について一方向から力が加わっても配線が固定具から抜け出ることを防ぐことができる。
【０００８】
フェライトコアの外周が固定具本体に接した状態において、湾曲部の内側における固定具本体から最も遠い部分は、フェライトコアの中心穴の内面における固定具本体から最も遠い部分よりも固定具本体寄りに設けられていてもよい。これにより、フェライトコアの中心穴から出た配線を固定具の湾曲部が固定具本体寄りに引き寄せるので、配線及びフェライトコアを固定具本体に容易に固定して保持することができる。
【０００９】
本発明の第２の形態によれば、被記録物に対して液体を噴射することによって記録を行う液体噴射装置は、被記録物上を往復運動しつつ液体を吐出することにより、被記録物上に記録を行う液体噴射ヘッドと、液体噴射ヘッドを往復運動させるモータと、モータを制御する制御部と、モータと制御部とを電気的に接続する配線と、モータと制御部とを保持する装置本体と、モータと制御部との間において配線が挿入され、モータから制御部に伝わる電気ノイズを除去する円筒状のフェライトコアと、円筒状のフェライトコアに挿入された配線を装置本体に固定して保持する固定具とを備え、固定具は、平板状の固定具本体と、固定具本体の一方の面に配され、装置本体に係止する係止部と、配線の長手方向におけるフェライトコアの長さと略同一の距離だけ離間して固定具本体の他方の面に一対配され、配線の長手方向におけるフェライトコアの両側においてそれぞれ配線を把持する一対の配線把持部とを有する。これにより、第１の形態と同様の効果を奏する。
【００１０】
なお上記の発明の概要は、本発明の必要な特徴の全てを列挙したものではなく、これらの特徴群のサブコンビネーションも又発明となりうる。
【発明を実施するための最良の形態】
【００１１】
以下、発明の実施の形態を通じて本発明を説明するが、以下の実施形態は特許請求にかかる発明を限定するものではなく、又実施形態の中で説明されている特徴の組み合わせの全てが発明の開発手段に必須であるとは限らない。
【００１２】
図１は、本発明の一実施形態に係るインクジェット式記録装置１０の斜視図を示す。本実施形態は、配線が巻き付けられたフェライトコアをインクジェット式記録装置１０に簡単に固定することを目的とする。
【００１３】
図１に示すように、インクジェット式記録装置１０は、インクジェット式記録装置１０の全体を下方から支持する下フレーム１６と、この下フレーム１６に支持され下フレーム１６から鉛直に立ち上がっているメインフレーム１４と、被記録物（不図示）の搬送方向（図中の上奥から下手前に向かう方向）おけるメインフレーム１４の上流側に固定されるトレイ１２とを備える。インクジェット式記録装置１０は、さらに、制御部８０と、キャリッジモータ４８と、タイミングベルト４４と、ガイド板４６と、キャリッジ４２と、プラテン９０と、搬送部３０と、排出部５０と、搬送モータ６０と、搬送ベルト６２とを備える。なお、メインフレーム１４及び下フレーム１６は、本発明の装置本体の一例である。
【００１４】
ガイド板４６は、メインフレーム１４に設けられ、被記録物の搬送方向と直交する方向にキャリッジ４２を案内する。制御部８０は、下フレーム１６に支持され、インクジェット式記録装置１０を制御する。キャリッジモータ４８は、メインフレーム１４に固定され、制御部８０の制御に基づいてタイミングベルト４４を駆動する。タイミングベルト４４は、キャリッジモータ４８の駆動力によりキャリッジ４２をガイド板４６に沿って往復運動させる。キャリッジ４２は、その下面に記録ヘッドを露出させた状態で保持する。プラテン９０は、キャリッジ４２の下方に配される。搬送モータ６０は、制御部８０の制御に基づいて搬送ベルト６２を回転駆動する。搬送ベルト６２は、搬送部３０および排出部５０に掛け回され、搬送モータ６０の回転駆動力を搬送部３０および排出部５０へ伝達する。搬送部３０は、被記録物をキャリッジ４２とプラテン９０との間に搬送する。排出部５０は、プラテン９０上に搬送された被記録物をインクジェット式記録装置１０から排出する。
【００１５】
上記構成のインクジェット式記録装置１０において、搬送部３０は、トレイ１２に載置された最上位の被記録物を分離し、分離した被記録物をプラテン９０上へ搬送する。被記録物がプラテン９０上に搬送されると、キャリッジモータ４８はタイミングベルト４４を駆動する。これにより、キャリッジ４２は、ガイド板４６に沿って被記録物上を往復移動する。キャリッジ４２が被記録物上を往復移動する間に、キャリッジ４２の下面に設けられた記録ヘッドが被記録物へ向けてインクを吐出することにより、被記録物上に記録が行われる。インクジェット式記録装置１０は、キャリッジモータ４８の駆動による記録ヘッドの往復運動と、搬送モータ６０の駆動による被記録物の搬送を交互に繰り返しながら記録ヘッドからインクを吐出することにより、被記録物上の全体に記録を行う。その後、排出部５０は、制御部８０からの制御に基づいて被記録物をインクジェット式記録装置１０の前方に排出する。
【００１６】
キャリッジモータ４８は、動作に伴い電気的なノイズを発生する場合がある。キャリッジモータ４８が発生したノイズが制御部８０に入力されると、制御部８０によるインクジェット式記録装置１０の制御に悪影響を及ぼす場合がある。従って、キャリッジモータ４８と制御部８０をつなぐ配線１５２は、途中でフェライトコア１５０（図２を参照）の中心穴に挿入されて巻き付けられることにより、制御部８０へのノイズの伝達を防止している。ここで、フェライトコア１５０は、配線１５２に比して重量が大きい。従って、インクジェット式記録装置１０の対振動性及び耐衝撃性を確保するためには、配線１５２が巻き付けられたフェライトコア１５０を、メインフレーム１４又は下フレーム１６に対して確実に固定する必要がある。
【００１７】
図２及び図３は、フェライトコア１５０をメインフレーム１４に固定するフェライトコアサドル１００の構造を示す。図２は、フェライトコアサドル１００が、配線１５２が挿入されたフェライトコア１５０をメインフレーム１４に固定した状態を示す。図３は、フェライトコアサドル１００の単体の外観を示す。フェライトコアサドル１００は、本発明の固定具の一例である。
【００１８】
フェライトコアサドル１００は、平板状のサドル本体１０２と、サドル本体１０２の一方の面に配された係止部１０４と、サドル本体１０２の他方の面において配線１５２の長手方向に一対配された配線把持部１１０とを備える。フェライトコアサドル１００の材料は、例えばポリプロピレン（ＰＰ）などの弾性のある樹脂である。係止部１０４は、メインフレーム１４に係止してフェライトコアサドル１００を固定する。係止部１０４は、メインフレーム１４に設けられる１つの下穴に挿入されることによって、外側に向いた一組の爪が下穴に係合する。配線把持部１１０は、配線１５２の長手方向におけるフェライトコア１５０の両側においてそれぞれ配線１５２を把持する。以上の構成により、フェライトコアサドル１００は、フェライトコア１５０付き配線１５２を単独で確実にメインフレーム１４に固定することができる。
【００１９】
一対の配線把持部１１０の各々は、サドル本体１０２から延伸する延伸部１１２、延伸部１１２から湾曲して延伸部１１２およびサドル本体１０２との間で配線１５２を把持する湾曲部１１４、および、湾曲部１１４に配線１５２を導入する開口部１１６を有している。一対の配線把持部１１０における開口部１１６は、配線１５２の幅方向について互い違いに、すなわちサドル本体１０２の短手方向に関して互いに逆向きに配されている。従って、配線１５２の幅方向に関して一方向から力が加わっても配線１５２がフェライトコアサドル１００から抜け出ることを防ぐことができる。また、開口部１１６の大きさは、配線１５２の太さよりも少し小さいことが望ましい。この場合、配線把持部１１０の弾性を利用して配線把持部１１０の内側に配線１５２を押し込むことにより、配線１５２の配線把持部１１０からの脱落を一層防止できる。
【００２０】
係止部１０４は、外側に向いた一組の爪がメインフレーム１４の下穴に係合するので、振動や衝撃に対しても脱落することがない。したがって、フェライトコアサドル１００をメインフレーム１４に対して確実に保持することができる。一対の配線把持部１１０は、配線１５２の長手方向におけるフェライトコア１５０の厚みと略同一の距離だけ離間して配されることが望ましい。この場合、配線把持部１１０には、フェライトコア１５０に巻き付けられる配線１５２を逃げる切り欠きを設ける必要がある。このような構成によれば、一対の配線把持部１１０は、配線１５２の長手方向についてフェライトコア１５０の両側に当接し、フェライトコア１５０をサドル本体１０２に対してがたつきなく、しっかりと保持することができる。
【００２１】
図４は、フェライトコア１５０の外周をサドル本体１０２に当接させた状態で、フェライトコア１５０の軸方向からフェライトコア１５０及びフェライトコアサドル１００を見た図である。本図において配線１５２は省略している。本図は、サドル本体１０２に対する、湾曲部１１４の内側及びフェライトコア１５０の中心穴の位置関係を示す。フェライトコア１５０の外周がサドル本体１０２に接した状態において、湾曲部１１４の内側におけるサドル本体１０２から最も遠い部分Ｂは、フェライトコア１５０の中心穴の内面におけるサドル本体１０２から最も遠い部分Ａよりもサドル本体１０２寄りに設けられている。これにより、図２に示すように、フェライトコアサドル１００の湾曲部１１４がフェライトコア１５０の中心穴から出た配線１５２をサドル本体１０２寄りに引き寄せるので、配線１５２及びフェライトコア１５０をサドル本体１０２との間で容易に固定して保持することができる。
【００２２】
以上の説明から明らかなように、本実施形態によれば、フェライトコア１５０に挿入された配線１５２を少ない部品点数で確実にメインフレーム１４に固定することができる。
【００２３】
上記実施形態におけるインクジェット式記録装置１０は、被記録物に対して液体を噴射することで記録を行う液体噴射装置の一例である。また、インクジェット式記録装置１０の記録ヘッドは、液体噴射装置の液体噴射ヘッドの一例である。
【００２４】
しかしながら、本発明はこれらに限られない。液体噴射装置の他の例は、液晶ディスプレイのカラーフィルタを製造するカラーフィルタ製造装置である。この場合、カラーフィルタ製造装置の色材噴射ヘッドが液体噴射ヘッドの一例である。液体噴射装置のさらに他の例は、有機ＥＬディスプレイ、ＦＥＤ（面発光ディスプレイ）等の電極を形成する電極形成装置である。この場合、電極形成装置の電極材（電導ペースト）噴射ヘッドが液体噴射ヘッドの一例である。液体噴射装置のさらに他の例は、バイオチップを製造するバイオチップ製造装置である。この場合、バイオチップ製造装置の生体有機物噴射ヘッドおよび精密ピペットとしての試料噴射ヘッドが液体噴射ヘッドの一例である。本発明の液体噴射装置は、産業用途を有するその他の液体噴射装置も含む。また被記録物とは、液体が噴射されることにより記録が行われる物であり、例えば記録用紙、ディスプレイの電極等の回路パターンが形成される回路基板、ラベルが記録されるＣＤ−ＲＯＭ、ＤＮＡ回路が記録されるプレパラートが含まれる。
【００２５】
以上、本発明を実施の形態を用いて説明したが、本発明の技術的範囲は上記実施の形態に記載の範囲には限定されない。上記実施形態に、多様な変更又は改良を加えることができることが当業者に明らかである。その様な変更又は改良を加えた形態も本発明の技術的範囲に含まれることが、特許請求の範囲の記載から明らかである。
【図面の簡単な説明】
【００２６】
【図１】本発明の実施形態にかかるインクジェット式記録装置１０の斜視図である。
【図２】フェライトコアサドル１００が、配線１５２が挿入されたフェライトコア１５０をメインフレーム１４に固定した状態を示す斜視図である。
【図３】フェライトコアサドル１００の単体の外観を示す斜視図である。
【図４】サドル本体１０２に対する、湾曲部１１４の内側及びフェライトコア１５０の中心穴の位置関係を示す透視図である。
【符号の説明】
【００２７】
１０  インクジェット式記録装置、１２  トレイ、１４  メインフレーム、１６  下フレーム、３０  搬送部、４２  キャリッジ、４４  タイミングベルト、４８  キャリッジモータ、４９  インクカートリッジ、５０  排出部、６０  搬送モータ、６２  搬送ベルト、８０  制御部、９０  プラテン、１００  フェエライトコアサドル、１０２  サドル本体、１０４  係止部、１１０  配線把持部、１１２  延伸部、１１４  湾曲部、１１６  開口部、１５０  フェライトコア、１５２  配線
【図１】
2006013060.tif 000003
【図２】
2006013060.tif 000004
【図３】
2006013060.tif 000005
【図４】
2006013060.tif 000006